(57)【要約】【課題】  １本の流出管に口径の異なる複数の流出管の役目を持たせることにより、さまざまな種類の受け入れ側容器の口径に適合させる。【解決手段】  本体（２）と流出部（３）が結合及び分離可能な漏斗（１）である。前記本体（２）は、下部にネジを有する脚部（２４）が突出している。前記流出部（３）は段差を有する筒状であり、少なくとも、口径が比較的に小さい第１部分（３１）と、この第1部分よりも口径が大きい第２部分（３２）の２部分を有する。【選択図】  図１
2020045149.tif 000002
【特許請求の範囲】
【請求項１】
本体（２）と流出部（３）が結合及び分離可能な漏斗（１）であって、
前記本体（２）は、容器部（２１）と容器部下部のネジつき脚部（２４）を有し、
前記流出部（３）は段差を有する筒状であり、少なくとも、口径が比較的に小さい第１部分（３１）と、口径が前記第１部分（３１）よりも大きい第２部分（３２）の２部分を有する
ことを特徴とする漏斗（１）。
【請求項２】
前記流出部において、口径が前記第２部分よりも大きい第３部分（３３Ａ）をさらに有する請求項１記載の漏斗。
【請求項３】
前記流出部において、口径が前記第３部分よりも大きい第４部分をさらに有する請求項２記載の漏斗。
【請求項４】
前記流出管（３）の前記第１部分（３１）及び前記第２部分（３２）の内面には雌ネジが設けられていて、受け入れ側容器開口部の雄ネジと係合可能である請求項１〜３のいずれかに記載の漏斗。
【請求項５】
本体（２）と流出部（３）を有し、前記流出管（３）が、口径が比較的に小さい第１部分（３１）と、口径が前記第１部分（３１）よりも大きい前記第２部分（３２）の、少なくとも２部分からなる漏斗（１）の使用法であって、
少なくとも１回は前記第１部分（３１）と前記第２部分（３２）を上下逆転させて、前記本体（２）に取り付けることを特徴とする漏斗の使用法。
【発明の詳細な説明】
【技術分野】
【０００１】
本発明は漏斗（「ろうと」又は「じょうご」）に関し、特に、流出管のサイズの変更が可能な漏斗及びその使用法に関する。
【背景技術】
【０００２】
周知の通り、漏斗は液体または粉体を別の容器に移し替える際に使用する器具である。碗状の容器部本体と、本体下端から伸びる管状の流出管から構成されている。
【０００３】
液体や粉末を受け入れる側の容器の口径には様々な種類があるのに対して、流出管は１種類であるのがふつうである。そのため、流出管が大きすぎたり、逆に小さすぎたりして、液体や粉末の移し替えに失敗し、周囲を汚した経験を持つ人は少なくないと思われる。
【０００４】
この問題を解決するために、口径の異なる流出管を複数用意しておき、その都度必要な大きさのものに取り替えるという発明・考案が知られている（例えば、下記特許文献参照）。
【先行技術文献】
【特許文献】
【０００５】
【特許文献１】特開２００２―１１４２９５
【特許文献２】実開昭４８−１１３３７６
【特許文献３】実開昭６２―６９４９９
【発明の概要】
【発明が解決しようとする課題】
【０００６】
上記従来技術は有用であるが、予め口径の異なる流出管を複数用意しておく必要がある。保管に場所を取るだけでなく、いつのまにか紛失したり、捨ててしまったりすることもあるであろう。
【０００７】
本発明はこのような問題を解決するために行われたもので、１本の流出管に口径の異なる複数の流出管の役目を持たせることにより、さまざまな種類の受け入れ側容器の口径に適合させることを目的とする。
【課題を解決するための手段】
【０００８】
本発明は、本体と流出部が結合及び分離可能な漏斗であって、前記本体は、容器部と容器部下部のネジつき脚部を有し、前記流出部は段差を有する筒状であり、口径が比較的に小さい第１部分と、口径が前記第１部分よりも大きい第２部分の、少なくとも２部分を有することを特徴とする。
【０００９】
必要があれば、口径がさらに大きい部分（第３部分、第４部分、第５部分、…）を設けてもよいが、通常の使用では２〜４部分で十分であろう。
【００１０】
好ましくは、前記流出管の前記第１部分及び前記第２部分の内面には雌ネジが設けられていて、受け入れ側容器開口部の雄ネジと係合可能である。
【００１１】
本発明はまた、本体と流出部を有し、前記流出管が、口径が比較的に小さい第１部分と、口径が前記第１部分よりも大きい前記第２部分の、少なくとも２部分からなる漏斗の使用法であって、少なくとも１回は前記第１部分と前記第２部分を上下逆転させて、前記本体に取り付けることを特徴とする。
【発明の効果】
【００１２】
本発明によれば、１本の流出管において、少なくとも２種類の口径サイズを有するものを使用することで、少なくとも２種類の受け入れ側容器開口部に対応させることができる。複数の流出管を使用する前記従来例と比較すると、流出管の保管に場所を取ることもなく、紛失することもない。
【００１３】
また、前記流出管（第１部分及び第２部分）の内面にはネジを設けることにより、受け入れ側容器の開口部のネジと係合可能とすることができる。それにより、漏斗を受け入れ側容器の開口部としっかり固定することができるので、手を添えなくても安定的に液体や紛体を受け入れ側容器に移すことができる。
【図面の簡単な説明】
【００１４】
【図１】本発明の実施例１に係る漏斗の断面図であり、（ａ）は本旦部分と流出管が分離している状態、（ｂ）は結合した状態である。
【図２】同本体の、（ａ）平面図、（ｂ）底面図、（ｃ）側面図、（ｄ）前記（ａ）のＡ−Ａ断面図である。
【図３】同流出管の、（ａ）平面図、（ｂ）底面図、（ｃ）側面図、（ｄ）前記（ａ）のＢ−Ｂ断面図である。
【図４】受け入れ側の容器の口径が比較的に小さいものであるときの移し替え状態を示す断面図である。
【図５】受け入れ側の容器の口径が比較的に大きいものであるときの移し替え状態を示す断面図である。
【図６】本発明の実施例２に係る漏斗であり、図５よりも受け入れ側の容器の口径が比較的に大きいものであるときの移し替え状態を示す断面図である。
【発明を実施するための形態】
【００１５】
以下、添付の図面に基づき、本発明の実施例を説明する。
【実施例１】
【００１６】
図１〜図３に示すように、本実施例の漏斗１は本体２と流出部３が結合及び分離可能である。
【００１７】
本体２は碗状の容器部２１を有する。上部が大きく開口すると共に、上端から逆Ｌ字形の取っ手２２が伸びている。下部には雄ネジ２３を有する脚部２４が突出している。
【００１８】
流出管３は、段差のある管であり、口径の小さい第１部分３１と、この第１部分３１よりも口径の大きい第２部分３２からなる。両部分の内側には雌ネジ３３、３４が設けられている。この例では第１部分３１は直径２８ｍｍ、第２部分３２は直径３３ｍｍである。
【００１９】
図１（ａ）（ｂ）に示すように、本体脚部２の雄ネジ２３と流出部３の雌ネジ３４を係合させると両者は一体化する。
【００２０】
受け入れ側容器の口径が比較的に小さいとき、例えば図４に示すような容器４に取り付けるときには、図１（ｂ）の状態の漏斗１をはめ込めばよい。口径の小さい第１部分３１が下方に位置するので、口径の小さい受け入れ側容器４の開口部４１に嵌め込むことができる。
【００２１】
受け入れ側容器の口径が比較的に大きいとき、例えば図５に示すような容器５に取り付けるときには、流出管３を上下逆転させる。そうすると口径の大きい第２部分３２が下方に位置するので、口径の大きい受け入れ側容器５の開口部５１に嵌め込むことができる。
【００２２】
このように、流出管３（第１部分３１、第２部分３２）の内面に雌ネジが設けられているので、受け入れ側容器４，５の開口部の雄ネジと係合可能である。それにより、漏斗を受け入れ側容器４，５の開口部としっかり固定することができるので、手を添えなくても安定的に液体や紛体を受け入れ側容器に移すことができる。
【実施例２】
【００２３】
上記実施例では段差は２段階であったが、３段階以上とすれば、より細かく受け入れ側容器の口径に適合させることができる。図６は３段階のもので、実施例１の口径の大きい第１部分３２よりもさらに口径が大きい第３部分３３Ａを設けている。この例では第１部分３１Ａは直径２８ｍｍ、第２部分３２Ａは直径３３ｍｍ、第３部分３３Ａは直径３８ｍｍである。
【００２４】
このようにすることにより、口径が大きい第３部分３３Ａの雌ネジが最も下方に位置するので、口径の大きい受け入れ側容器６の開口部６１の雄ネジに嵌め込むことができる。
【００２５】
なお、この実施例２の漏斗を、図５の受け入れ容器５に取り付けることもできる。すなわち、最も下の第３部分３３Ａの雌ネジを無視して、第２部分３２Ａの雌ネジを使用すればよいからである。
【００２６】
図示しないが、第４部分を設けて４段階とすることもできるし、それ以上とすることもできる。
【符号の説明】
【００２７】
１     漏斗
２     本体
２１   容器部
２２   取っ手
２３   雄ネジ
２４   脚部
３     流出部
３１，２１Ａ  第１部分
３２，３２Ａ  第２部分
３３Ａ 第３部分
３３   雌ネジ
３４   雌ネジ
４     受け入れ側容器（小）
４１   開口部
５     受け入れ側容器（中）
５１   開口部
６     受け入れ側容器（大）
６１   開口部
【図１】
2020045149.tif 000003
【図２】
2020045149.tif 000004
【図３】
2020045149.tif 000005
【図４】
2020045149.tif 000006
【図５】
2020045149.tif 000007
【図６】
2020045149.tif 000008